(57)【要約】【課題】塩 ,胡椒などの調味料や各種の芳香剤を収容する、各種形状の容器３０の上部開口３１に熱融着して装着して、簡単に振出用又は揮散用の１個又は２個以上の小開孔ａ ,ａ ,ａ ,…を形成することができる、従来の振出用中栓体３２又は揮散用キャップ３４を必要としない振出用又は揮散用の蓋材を提供する。【解決手段】本発明は、少なくとも剥離用基材フィルム層３とイージーピール層４と密着用基材フィルム層６とシーラント層７とを積層して成る、円形状や角を丸めた長方形状などの蓋材２０であって、開封開始用のつまみ片２１と、振出用又は揮散用の１個又は２個以上の小開孔ａ ,ａ ,ａ ,…とを、このイージーピール層４と密着用基材フィルム層６とシーラント層７とを切断して、剥離用基材フィルム層３に達する半切れ線ｂ ,ｂ ,ｂ ,…で区画して形成した振出用又は揮散用の蓋材である。【選択図】図１
2005280734.tif 000002
【特許請求の範囲】
【請求項１】
少なくとも剥離用基材フィルム層３とイージーピール層４と密着用基材フィルム層６とシーラント層７とを積層して成る蓋材２０であって、開封開始用のつまみ片２１と、振出用又は揮散用の１個又は２個以上の小開孔ａ ,ａ ,ａ ,…とを、このイージーピール層４から剥離用基材フィルム層３に達する半切れ線ｂ ,ｂ ,ｂ ,…で区画して形成したことを特徴とする振出用又は揮散用の蓋材。
【請求項２】
請求項１に記載の振出用又は揮散用の蓋材において、イージーピール層４に替えて、粘着性イージーピール層４を積層したことを特徴とする振出用又は揮散用の蓋材。
【請求項３】
請求項１又は請求項２に記載の振出用又は揮散用の蓋材において、剥離用基材フィルム層３の内面側又は外面側に、ガスバリアー層２を積層したことを特徴とする振出用又は揮散用の蓋材。
【発明の詳細な説明】
【技術分野】
【０００１】
本発明は、塩 ,胡椒などの調味料や各種の芳香剤を収容する、各種形状の容器３０の上部開口３１に熱融着して装着して、簡単に振出用又は揮散用の１個又は２個以上の小開孔ａ ,ａ ,ａ ,…を形成することができる、従来の振出用中栓体３２又は揮散用キャップ３４を必要としない振出用又は揮散用の蓋材に関する。
【背景技術】
【０００２】
従来から、塩 ,胡椒などの顆粒状や粉末状の調味料を収容する、図３に示すような、有底角筒状や有底円筒状などの容器３０の上部開口に、気体遮断性や耐水 ,耐油性などが優れた、アルミ箔積層材料製などの密封用の蓋材４０を熱融着して装着して、次に１個又は２個以上の小開孔ａ ,ａ ,ａ ,…を形成した、プラスチック製などの振出用中栓体３２を嵌合して、続いてプラスチック製などのネジ式のキャップ３３を被せた、ガラス製などの調味料容器３０が、卓上用として一般に広く用いられている。
【０００３】
また従来から、各種の液体状やゲル状などの芳香剤を収容する、図４に示すような、中央部が膨らんだ有底円筒状( ボトル状 )などの容器３０の上部開口に、同様に気体遮断性や耐水 ,耐油性などが優れた、アルミ箔積層材料製などの密封用の蓋材４０を熱融着して装着して、次に多数の放射状開孔ｃ ,ｃ ,ｃ ,…を形成した、半透明プラスチック製の全周フランジｄを有するネジ式の揮散用キャップ３４を被せた、プラスチック製などの芳香剤容器３０( 特許文献１ )が、家庭用や自動車用として用いられている。
【０００４】
特許文献は以下の通り。
【特許文献１】特開２０００−１９１０５９号公報
【発明の開示】
【発明が解決しようとする課題】
【０００５】
ところが従来の、図３に示すガラス製などの調味料容器３０については、ネジ式のキャップ３３と振出用中栓体３２とを一旦外して、気体遮断性や耐水 ,耐油性などが優れた密封用の蓋材４０を開封して除去した後に、再び１個又は２個以上の小開孔ａ ,ａ ,ａ ,…を形成した振出用中栓体３２を嵌合して、収容した塩 ,胡椒などの顆粒状や粉末状の調味料を振出すことができるものの、除去したアルミ箔積層材料製などの密封用の蓋材４０が無駄になる上に、有底角筒状や有底円筒状などの容器３０の上部開口に、再びプラスチック製などの振出用中栓体３２を、手間を掛けて嵌合する必要があった。
【０００６】
また従来の、図４に示すプラスチック製などの芳香剤容器３０については、ネジ式の揮散用キャップ３４を一旦外して、気体遮断性や耐水 ,耐油性などが優れた密封用の蓋材４０を開封して除去した後に、再び多数の放射状開孔ｃ ,ｃ ,ｃ ,…を形成したネジ式の揮散用キャップ３４を被せて、収容した各種の液体状やゲル状などの芳香剤を揮散させることができるものの、同様に除去したアルミ箔積層材料製などの密封用の蓋材４０が無駄になる上に、中央部が膨らんだ有底円筒状などの容器３０の上部開口に、再び半透明プラスチック製の全周フランジｄを有するネジ式の揮散用キャップ３４を、手間を掛けて被せる必要があった。
【０００７】
そこで、本発明の目的は、塩 ,胡椒などの調味料や各種の芳香剤を収容する、各種形状の容器３０の上部開口３１に熱融着して装着して、簡単に振出用又は揮散用の１個又は２個以上の小開孔ａ ,ａ ,ａ ,…を形成して、そのまま振出す又は揮散させることができる、従来のアルミ箔積層材料製などの密封用の蓋材４０が無駄になることがない上に、手間
が掛かる振出用中栓体３２又は揮散用キャップ３４を必要としない振出用又は揮散用の蓋材を提供することにある。
【課題を解決するための手段】
【０００８】
本発明の請求項１に記載の振出用又は揮散用の蓋材は、図１ ,図２に示すように、少なくとも剥離用基材フィルム層３とイージーピール層４と密着用基材フィルム層６とシーラント層７とを積層して成る、円形状( 図１Ａを参照 )や角を丸めた長方形状( 図２Ａを参照 )などの蓋材２０であって、開封開始用のつまみ片２１と、振出用又は揮散用の１個又は２個以上( 図１では１個 ,図２では２４個 )の小開孔ａ ,ａ ,ａ ,…とを、このイージーピール層４から剥離用基材フィルム層３に達する半切れ線ｂ ,ｂ ,ｂ ,…で区画して形成したことを特徴とする振出用又は揮散用の蓋材である。
【０００９】
本発明の振出用又は揮散用の蓋材においては、少なくとも剥離用基材フィルム層３とイージーピール層４と密着用基材フィルム層６とシーラント層７とを積層して成る、円形状や角を丸めた長方形状などの蓋材２０であって、開封開始用のつまみ片２１と、振出用又は揮散用の１個又は２個以上の小開孔ａ ,ａ ,ａ ,…とを、このイージーピール層４と密着用基材フィルム層６とシーラント層７とを切断して、剥離用基材フィルム層３に達する半切れ線ｂ ,ｂ ,ｂ ,…で区画して形成したことによって、
塩 ,胡椒などの調味料や各種の芳香剤を収容する、例えば図２Ｂ ,図３ ,図４Ｂに示す各種形状の容器３０の上部開口３１に、円形状や角を丸めた長方形状などの蓋材２０を熱融着して装着した後に、図１Ｃ ,図２Ｂに示すように、開封開始用のつまみ片２１を、指で摘んで軽く引張って開封するだけで、このつまみ片２１と１個又は２個以上の小開孔ａ
,ａ ,ａ ,…とを区画した半切れ線ｂ ,ｂ ,ｂ ,…が切断して、またつまみ片２１と１個又は２個以上の小開孔ａ ,ａ ,ａ ,…との部分以外のイージーピール層４が剥離して、振出用又は揮散用の１個又は２個以上の小開孔ａ ,ａ ,ａ ,…の部分のイージーピール層４と密着用基材フィルム層６とシーラント層７とを内面側に積層したまま、蓋材２０の剥離用基材フィルム層３を剥がして開封することができるために、簡単に振出用又は揮散用の１個又は２個以上の小開孔ａ ,ａ ,ａ ,…を形成して、収容した塩 ,胡椒などの調味料や各種の芳香剤を、そのまま振出す又は揮散させることができる、前述した従来の、図３ ,図４に示す振出用中栓体３２又は揮散用キャップ３４を必要としない振出用又は揮散用の蓋材を得ることができる。
【００１０】
また、本発明の請求項２に記載の振出用又は揮散用の蓋材は、請求項１に記載の振出用又は揮散用の蓋材において、イージーピール層４に替えて、図２の実施例２に示す粘着性イージーピール層４を積層したことを特徴とする振出用又は揮散用の蓋材である。
【００１１】
本発明の振出用又は揮散用の蓋材においては、前述した請求項１に記載の振出用又は揮散用の蓋材において、イージーピール層４に替えて、実施例２に示す粘着性イージーピール層４を積層したことによって、例えば図２Ｂに示すように、開封開始用のつまみ片２１を、指で摘んで軽く引張って途中まで開封して、簡単に揮散用の１個又は２個以上の小開孔ａ ,ａ ,ａ ,…を途中まで形成して、収容した各種の液体状やゲル状などの芳香剤を揮散させる時などに、必要に応じて、途中まで形成した１個又は２個以上の小開孔ａ ,ａ ,ａ ,…の部分以外の剥離した粘着性イージーピール層４に、途中まで剥がして開封した蓋材２０の剥離用基材フィルム層３を密着させて、簡単に元のとおりに密封して、残余の芳香剤の揮散( 損失 )を防止することができる。
【００１２】
加えて、本発明の請求項３に記載の振出用又は揮散用の蓋材は、請求項１又は請求項２に記載の振出用又は揮散用の蓋材において、図１ ,図２に示すように、剥離用基材フィルム層３の内面側又は外面側( 図１では外面側 ,図２では内面側 )に、ガスバリアー層２を積層したことを特徴とする振出用又は揮散用の蓋材である。
【００１３】
本発明の振出用又は揮散用の蓋材においては、前述した請求項１又は請求項２に記載の振出用又は揮散用の蓋材において、剥離用基材フィルム層３の内面側又は外面側に、気体遮断性などが優れたガスバリアー層２を積層したことによって、塩 ,胡椒などの調味料や各種の芳香剤を収容する、例えば図２Ｂ ,図３ ,図４Ｂに示す各種形状の容器３０の上部開口３１に、円形状や角を丸めた長方形状などの蓋材２０を熱融着して装着した時などに、収容した塩 ,胡椒などの調味料や各種の芳香剤の、香気成分の飛散や保存品質の劣化などを長期に防止することができる。
【発明の効果】
【００１４】
以上、本発明の振出用又は揮散用の蓋材においては、塩 ,胡椒などの調味料や各種の芳香剤を収容する、各種形状の容器３０の上部開口３１に熱融着して装着した後に、開封開始用のつまみ片２１を、指で摘んで軽く引張って開封するだけで、このつまみ片２１と１個又は２個以上の小開孔ａ ,ａ ,ａ ,…とを区画した半切れ線ｂ ,ｂ ,ｂ ,…が切断して、またつまみ片２１と１個又は２個以上の小開孔ａ ,ａ ,ａ ,…との部分以外のイージーピール層４が剥離して、簡単に振出用又は揮散用の１個又は２個以上の小開孔ａ ,ａ ,ａ
,…を形成して、そのまま振出す又は揮散させることができる、前述した従来の振出用中栓体３２又は揮散用キャップ３４を必要としない振出用又は揮散用の蓋材を提供することができる。
【発明を実施するための最良の形態】
【００１５】
本発明の振出用又は揮散用の蓋材における、剥離用基材フィルム層３については、通常の１００ｇ／ｍ2 程度の上質紙 ,模造紙や２４μｍ程度のポリエステル(PET),延伸ポリプロピレン(OPP )などの、引張り強度を有する剥離用基材フィルム層３を、通常のドライラミネート方法などで制約なく積層することができる。
【００１６】
本発明の振出用又は揮散用の蓋材における、イージーピール層４については、２４μｍ程度のエチレンーメタアクリル酸共重合体(EMAA)や３０μｍ程度のポリエチレンとポリブテンとのブレンド樹脂などの容易に剥がすことができるイージーピール層４を、通常のドライラミネート方法や熱押出しラミネート方法などで制約なく積層することができる。
【００１７】
本発明の振出用又は揮散用の蓋材における、密着用基材フィルム層６については、通常の２０μｍ程度のポリエステル(PET),延伸ポリプロピレン(OPP )や１５μｍ程度の延伸ナイロン(ONy )などの、強度と耐水 ,耐油性などを有する密着用基材フィルム層６を、通常のドライラミネート方法などで制約なく積層することができる。
【００１８】
本発明の振出用又は揮散用の蓋材における、シーラント層７については、通常の４０μｍ程度の低密度ポリエチレン(LDPE)などの、各種形状のガラス製やプラスチック( ポリプロピレン )製などの容器３０との熱融着密封性が優れたシーラント層７を、通常のドライラミネート方法や熱押出しラミネート方法などで制約なく積層することができる。
【００１９】
また、本発明の振出用又は揮散用の蓋材における、粘着性イージーピール層４については、前述した剥離用基材フィルム層３( 実施例２ではガスバリアー層２のアルミニウム箔
)に対して粘着性を有する、５〜２０ｇ／ｍ2 幅程度で容易に剥がすことができる粘着性イージーピール層４を塗布することにより積層することができる。
【００２０】
加えて、本発明の振出用又は揮散用の蓋材における、ガスバリアー層２については、通常の７μｍ程度のアルミニウム箔やセラミック蒸着付の１２μｍ程度のポリエステル(PET),延伸ポリプロピレン(OPP)などの、気体遮断性などが優れたガスバリアー層２を、前述した剥離用基材フィルム層３の内面側又は外面側に、通常のドライラミネート方法などで
制約なく積層することができる。
【実施例１】
【００２１】
図１Ａ ,Ｂは、本発明の実施例１における、振出用の蓋材２０の平面図 ,断面説明図であって、図１Ｃは、調味料容器３０の上部開口３１に熱融着して装着した振出用の蓋材２０を、開封した状態を示す断面説明図である。
【００２２】
すなわち、まず外面側から、図１Ｂに示すように、通常のセラミック蒸着付の１２μｍのポリエステルフィルムの気体遮断性などが優れたガスバリアー層２と、通常の２４μｍの延伸ポリプロピレンフィルムの引張り強度を有する剥離用基材フィルム層３と、２４μｍのエチレンーメタアクリル酸共重合体(EMAA)フィルムの容易に剥がすことができるイージーピール層４と、通常の３０μｍの低密度ポリエチレンの熱溶融接着性が優れた接着性樹脂層５と、通常の２０μｍのポリエステルフィルムの強度と耐水 ,耐油性などを有する密着用基材フィルム層６と、通常の４０μｍの低密度ポリエチレンフィルムの、後述するガラス製の調味料容器３０との熱融着密封性が優れたシーラント層７とを、ガスバリアー層２と剥離用基材フィルム層３とイージーピール層４との間及び密着用基材フィルム層６とシーラント層７との間は、通常の５ｇ／ｍ2 のウレタン系の接着剤を用いたドライラミネート方法で、またイージーピール層４と接着性樹脂層５と密着用基材フィルム層６との間は、接着性樹脂層５の低密度ポリエチレンを熱溶融した熱押出しラミネート方法で、それぞれ順に積層した後に、
通常の金属打抜刃を用いた打抜工程で、蓋材２０の周辺を切断して除去すると同時に、半円状の開封開始用のつまみ片２１と６ｍｍφの振出用の１個の小開孔ａとを区画した、イージーピール層４と接着性樹脂層５と密着用基材フィルム層６とシーラント層７とを切断して、剥離用基材フィルム層３に達する、図１Ａ ,Ｂに示す半切れ線ｂ ,ｂを設けて、図１Ａに示す２５ｍｍφの円形状の、実施例１の振出用の蓋材２０を作製した。
【００２３】
本実施例１の振出用の蓋材２０においては、塩 ,胡椒などの顆粒状や粉末状の調味料を収容する、底部の縦 ,横が３６×３６ｍｍで高さが８８ｍｍの有底角筒状の、図３に示す従来のガラス製の調味料容器３０の上部開口３１に、図１Ａに示す２５ｍｍφの円形状の振出用の蓋材２０を熱融着して装着したところ、
図１Ｃに示すように、半円状の開封開始用のつまみ片２１を、指で摘んで軽く引張って開封するだけで、このつまみ片２１と１個の小開孔ａとを区画した半切れ線ｂ ,ｂが切断して、またつまみ片２１と１個の小開孔ａとの部分以外のイージーピール層４が剥離して、６ｍｍφの振出用の１個の小開孔ａの部分のイージーピール層４と接着性樹脂層５と密着用基材フィルム層６とシーラント層７とを内面側に積層したまま、蓋材２０のガスバリアー層２と剥離用基材フィルム層３とを剥がして開封することができるために、簡単に６ｍｍφの振出用の１個の小開孔ａを形成して、収容した塩 ,胡椒などの顆粒状や粉末状の調味料を、そのまま振出すことができる、前述した従来の、図３に示す振出用中栓体３２を必要としない振出用の蓋材２０を得ることができた。
【実施例２】
【００２４】
図２Ａは、本発明の実施例２における、揮散用の蓋材２０の平面図であって、図２Ｂは、芳香剤容器３０の上部開口３１に熱融着して装着した揮散用の蓋材２０を、途中まで開封した状態を示す断面図である。
【００２５】
すなわち、まず外面側から、表面に美麗な印刷をした１０５ｇ／ｍ2 の上質紙の引張り強度を有する剥離用基材フィルム層３と、通常の７μｍのアルミニウム箔の気体遮断性などが優れたガスバリアー層２と、ガスバリアー層２のアルミニウム箔に対して粘着性を有する、容易に剥がすことができる粘着性イージーピール層４と、通常の２０μｍの延伸ポリプロピレンフィルムの強度と耐水 ,耐油性などを有する密着用基材フィルム層６と、通
常の４０μｍの低密度ポリエチレンフィルムの、後述するポリプロピレン製の芳香剤容器３０との熱融着密封性が優れたシーラント層７とを、剥離用基材フィルム層３とガスバリアー層２との間及び密着用基材フィルム層６とシーラント層７との間は、通常の５ｇ／ｍ2 のウレタン系の接着剤を用いたドライラミネート方法で、またガスバリアー層２と粘着性イージーピール層４と密着用基材フィルム層６との間は、粘着性イージーピール層４のエチレン−酢酸ビニル共重合樹脂系の粘着剤を塗布し、それぞれ順に積層した後に、
実施例１と同様の金属打抜刃を用いた打抜工程で、蓋材２０の周辺を切断して除去すると同時に、半円状の開封開始用のつまみ片２１とそれぞれ４ｍｍφの揮散用の２４個の小開孔ａ ,ａ ,ａ ,…とを区画した、粘着性イージーピール層４と密着用基材フィルム層６とシーラント層７とを切断して、剥離用基材フィルム層３( ガスバリアー層２のアルミニウム箔 )に達する、図２Ａ ,Ｂに示す半切れ線ｂ ,ｂ ,ｂ ,…を設けて、図２Ａに示す４５×６６ｍｍの角を丸めた長方形状の、実施例２の揮散用の蓋材２０を作製した。
【００２６】
本実施例２の揮散用の蓋材２０においては、各種の液体状やゲル状などの芳香剤を収容する、収容部の縦 ,横 ,深さが４０×６０×２４ｍｍの角を丸めた直方体トレー状の、図２Ｂに示すポリプロピレン製の芳香剤容器３０の上部開口３１に、図２Ａに示す４５×６６ｍｍの角を丸めた長方形状の揮散用の蓋材２０を熱融着して装着したところ、
図２Ｂに示すように、半円状の開封開始用のつまみ片２１を、指で摘んで軽く引張って開封するだけで、このつまみ片２１と２４個の小開孔ａ ,ａ ,ａ ,…とを区画した半切れ線ｂ ,ｂ ,ｂ ,…が切断して、またつまみ片２１と２４個の小開孔ａ ,ａ ,ａ ,…との部分以外の粘着性イージーピール層４が剥離して、実施例１と同様に、それぞれ４ｍｍφの揮散用の２４個の小開孔ａ ,ａ ,ａ ,…の部分の粘着性イージーピール層４と密着用基材フィルム層６とシーラント層７とを内面側に積層したまま、蓋材２０の剥離用基材フィルム層３とガスバリアー層２とを剥がして開封することができるために、簡単にそれぞれ４ｍｍφの揮散用の２４個の小開孔ａ ,ａ ,ａ ,…を形成して、収容した各種の液体状やゲル状などの芳香剤を、そのまま揮散させることができる、前述した従来の、図４に示す揮散用キャップ３４などを必要としない揮散用の蓋材２０を得ることができた。
【００２７】
しかも、本実施例２の揮散用の蓋材２０においては、実施例１の２４μｍのエチレンーメタアクリル酸共重合体(EMAA)フィルムのイージーピール層４に替えて、ガスバリアー層２のアルミニウム箔に対して粘着性を有する粘着性イージーピール層４を積層したことによって、
図２Ｂに示すように、半円状の開封開始用のつまみ片２１を、指で摘んで軽く引張って途中まで開封して、簡単にそれぞれ４ｍｍφの揮散用の２４個の小開孔ａ ,ａ ,ａ ,…を途中まで形成して、収容した各種の液体状やゲル状などの芳香剤を揮散させる時などに、長期不在時などの必要に応じて、途中まで形成したそれぞれ４ｍｍφの揮散用の２４個の小開孔ａ ,ａ ,ａ ,…の部分以外の剥離した粘着性イージーピール層４に、途中まで剥がして開封した蓋材２０の剥離用基材フィルム層３とガスバリアー層２とを密着させて、簡単に元のとおりに密封して、残余の芳香剤の揮散( 損失 )を防止することができる揮散用の蓋材２０を得ることができた。
【産業上の利用可能性】
【００２８】
特になし。
【図面の簡単な説明】
【００２９】
【図１】本発明の実施例１における、図１Ａ ,Ｂは、振出用の蓋材２０の平面図 ,断面説明図であって、図１Ｃは、調味料容器３０の上部開口３１に熱融着して装着した振出用の蓋材２０を、開封した状態を示す断面説明図である。
【図２】本発明の実施例２における、図２Ａは、揮散用の蓋材２０の平面図であって、図２Ｂは、芳香剤容器３０の上部開口３１に熱融着して装着した揮散用の蓋材２０を、途中まで開封した状態を示す断面図である。
【図３】従来の塩 ,胡椒などの調味料容器３０の断面図である。
【図４】図４Ａ ,Ｂは、従来の各種の芳香剤容器３０の上面図 ,断面図である。
【符号の説明】
【００３０】
２    …ガスバリアー層
３    …剥離用基材フィルム層
４    …イージーピール層 ,粘着性イージーピール層
５    …接着性樹脂層
６    …密着用基材フィルム層
７    …シーラント層
２０  …蓋材
２１  …つまみ片
３０  …容器 ,調味料容器 ,芳香剤容器
３１  …上部開口
３２  …振出用中栓体
３３  …キャップ
３４  …揮散用キャップ
４０  …密封用の蓋材
ａ    …小開孔
ｂ    …半切れ線
ｃ    …放射状開孔
ｄ    …全周フランジ
【図１】
2005280734.tif 000003
【図２】
2005280734.tif 000004
【図３】
2005280734.tif 000005
【図４】
2005280734.tif 000006